(57)【要約】【課題】簡単な構造で一旦締結したモールドケース２のカバー３や基台を特別な工具を必要とせず開けることのできるモールドケース２の固定リベット部の構造を提供することを目的とする。【解決手段】カバーと基台とにはそれぞれ対向する位置に挿通孔４を設け、挿通孔４には固定リベットを挿通し、先端をかしめることでカバーと基台とを固定するもので、カバーまたは基台に設けられた挿通孔４周縁部の、固定リベットのかしめ部分に対向する位置に突起７を設け段差を形成すると共に、挿通孔４の内側に溝８を設けることを特徴とする。【選択図】図２
2008101669.tif 000002
【特許請求の範囲】
【請求項１】
絶縁材料により多層のカバーを形成し該カバーを接合することにより形成されるモールドケースにおける、前記カバーを接合するための固定リベット部の構造であって、前記カバーと基台とにはそれぞれ対向する位置に挿通孔を設け、該挿通孔には固定リベットを挿通し、先端をかしめることで前記カバーと基台とを固定するもので、前記カバーまたは基台に設けられた挿通孔周縁部の、前記固定リベットのかしめ部分に対向する位置に突起を設け段差を形成すると共に、前記挿通孔の内側に溝を設けることを特徴とするモールドケース固定リベット部の構造。
【発明の詳細な説明】
【技術分野】
【０００１】
本発明は、絶縁材料により多層のカバーを形成しカバーを接合することにより形成されるモールドケースにおける、カバーを接合するための固定リベット部の構造に関するものである。
【背景技術】
【０００２】
従来、絶縁材料により多層のカバー３１や基台（図示せず）等を形成し、これらの部材で構成されるモールドケース３２の組み立て構造は、カバー３１や基台（図示せず）等の部材にはそれぞれ複数の挿通孔３３を設けていた。カバー３１や基台（図示せず）を組み合わせ、それぞれの挿通孔３３に中空のピン３４を挿通し、ピン３４の中央から外側に向けてかしめ、カバー３１、基台（図示せず）を固定していた。
【特許文献１】特開平１１−１１１０９５号公報
【発明の開示】
【発明が解決しようとする課題】
【０００３】
ピンをかしめることでカバーや基台を固定する方法の場合、一度締結すると容易に外すことができず、ラジオペンチ等の一般的な工具では、ピンと挿通孔との隙間が小さく、差し込むことも困難で、例えば内部機器の確認をする必要がある場合に、かしめたピンを外す場合には時間と手間が掛かっていた。
【課題を解決するための手段】
【０００４】
そこで本発明は、簡単な構造で一旦締結したモールドケースのカバーや基台を特別な工具を必要とせず開けることのできるモールドケースの固定リベット部の構造を提供することを目的とし、その構造は、カバーと基台とにはそれぞれ対向する位置に挿通孔を設け、挿通孔には固定リベットを挿通し、先端をかしめることでカバーと基台とを固定するもので、カバーまたは基台に設けられた挿通孔周縁部の、固定リベットのかしめ部分に対向する位置に突起を設け段差を形成すると共に、挿通孔の内側に溝を設けることを特徴とする。
【発明の効果】
【０００５】
本発明に係るモールドケース固定リベット部の構造は、カバーと基台とにはそれぞれ対向する位置に挿通孔を設け、挿通孔には固定リベットを挿通し、先端をかしめることでカバーと基台とを固定するもので、カバーまたは基台に設けられた挿通孔周縁部の、固定リベットのかしめ部分に対向する位置に突起を設け段差を形成すると共に、挿通孔の内側に溝を設けるため、ラジオペンチといった一般的な工具で、一旦かしめた固定リベットを容易に取り外すことができるので、モールドケースを開けたい時に短時間で作業でき、作業効率を向上させることができる。
【発明を実施するための最良の形態】
【０００６】
本発明に係るモールドケース固定リベット部の構造の実施例を図１〜図６の添付図面に基いて説明する。
【０００７】
本発明は、回路を遮断するための引き外し装置といった電子機器を配置して回路遮断器１を構成するモールドケース２の接合方法に関する。モールドケース２は絶縁材料により形成され、多層のカバー３と基台（図示せず）とで構成される。
【０００８】
図１においては多層のカバー３は、右カバー３ａ、中間カバー３ｂ、左カバー３ｃである。カバー３にはそれぞれ挿通孔４が設けられる。モールドケース２の表面に窪み５を形成し、窪み５の略中央部に挿通孔４を設ける。挿通孔４に、頭部６ａを有し筒状の軸部６ｂで構成される固定リベット６を挿通し、頭部６ａと反対側の端部を内側から外側へかしめることによりカバー３が固定される。
【０００９】
挿通孔４の周縁部の、固定リベット６がかしめられる部分には窪み面から突出した複数の突起７を設ける。挿通孔４の内壁４ａに溝８を設け、挿通孔４の径を一部広くする。突起７、溝８はそれぞれ向かい合わせで対に形成している。
【００１０】
固定リベット６はカバー３や基台に設けられたそれぞれの挿通孔４に挿通し、挿通孔４の周縁部に設けられた突起７に添うように先端をかしめ、カバー３や基台を接合する。一旦接合したら、外しにくい構造となっていて、工具等を使って外した場合には、外した形跡が残るようになっている。内部機器の動作確認の必要がある場合には、かしめた部分を取り外し、カバー３を開く。
【００１１】
挿通孔４周縁部に設けた突起７の間にある凹部９にラジオペンチ等の一般的に用いられる工具を差し込み、かしめられている固定リベット６を起こして、固定リベット６の軸部６ｂの端部をつぶす。
【００１２】
さらに、固定リベット６は、軸部６ｂを挿通孔４に設けられた溝８につぶし広げ、固定リベット６を頭部６ａの方向へ押し出すことで、容易に引き抜くことができる。
【００１３】
突起７と溝８の数や形状は、上記図２に示すものに限定されるものではなく、図５のように、突起１０の間の凹部１１に溝１２を設けてもよい。凹部１１は、ドライバー等の工具を差し込むために設け、溝１２は、固定リベット（図示せず）を引き抜くために設けられるが、凹部１１と溝１２とを共に設けるため、凹部１１、溝１２のどちらに工具を差し込んでもまた、固定リベットを引き抜いてもよい。
【００１４】
また図６に示すように、突起１３を設けるために逆に窪み１４を切り欠いて凹部１５を形成してもよく、本発明の趣旨を逸脱しない範囲において適宜変更可能である。
【産業上の利用可能性】
【００１５】
多層のカバーと基台とを接合して構成されるモールドケースは、固定リベットをかしめることで固定される。固定リベットの挿通孔周縁で固定リベットのかしめ部分に対向する位置に凹凸を形成し、かしめ部分と挿通孔との間に隙間を設け、工具を差し込みやすくし、一旦かしめた固定リベットの取り外しを容易にした。
【図面の簡単な説明】
【００１６】
【図１】本発明に係るモールドケース固定リベット部の構造を示す説明図である。
【図２】図１における要部拡大図である。
【図３】図１において固定リベットでカバーを固定した状態を示す説明図である。
【図４】図３における要部拡大図である。
【図５】本発明に係るモールドケース固定リベット部の構造を示す説明図である。
【図６】本発明に係るモールドケース固定リベット部の構造を示す説明図である。
【図７】従来のモールドケース固定リベット部の構造を示す説明図である。
【符号の説明】
【００１７】
１    回路遮断器
２    モールドケース
３    カバー
３ａ  右カバー
３ｂ  中間カバー
３ｃ  左カバー
４    挿通孔
５    窪み
６    固定リベット
６ａ  頭部
６ｂ  軸部
７    突起
８    溝
９    凹部
１０  突起
１１  凹部
１２  溝
１３  突起
１４  窪み
１５  凹部
【図１】
2008101669.tif 000003
【図２】
2008101669.tif 000004
【図３】
2008101669.tif 000005
【図４】
2008101669.tif 000006
【図５】
2008101669.tif 000007
【図６】
2008101669.tif 000008
【図７】
2008101669.tif 000009